(57)【要約】      （修正有）【課題】易開封をヒートシール剤を使用しないで実現する、サンドイッチなどの固形の食品を収容するための食品用包装袋を提供する。【解決手段】表側と裏側の一対のプラスチックフィルムシート１０、１を重ね合わせ、各シート１０、１の先端所定範囲をタブ４Ａ、４Ｂとして残した状態で両側辺を横断する線に沿って各シート１０、１同士を接着した頂部封止部２Ａ、２Ｂと、頂部封止部２Ａ、２Ｂより後方の各シート１０、１の両側辺同士を接着した側面封止部により３方を封止した袋体を構成し、一方のタブ部分４Ａに設けた切り込みによる引き起し片Ｓを表側のシート１０のタブ部分に設けるとともに、一端が頂部封止部２Ａ、２Ｂを越えて引き起し片に達するカットテープ６を上記シート１０の裏面に接着した食品用包装袋とする。カットテープ６を片面をマット面としたＯＰＰフィルムにより構成し、表側シート１０との接着側にマット面側を向けてヒートシールにより接着する。【選択図】図１
0003213774.tif 000002
【実用新案登録請求の範囲】
【請求項１】
表側と裏側の一対のプラスチックフィルムシートを重ね合わせ、各シートの先端所定範囲をタブとして残した状態で両側辺を横断する線に沿って各シート同士をヒートシールにより接着した頂部封止部と、頂部封止部より後方の各シートの両側辺同士を接着した側面封止部により３方を封止した袋体を構成し、タブ部分に設けた切り込みによる引き起し片を表側シートのタブ部分に設けるとともに、一端が頂部封止部を越えて引き起し片に達するカットテープを表側シートの裏面と頂部封止部における表側シートの裏面と裏側シートの裏面に接着した食品用包装袋において、上記のカットテープを片面をマット面としたＯＰＰフィルムにより構成し、表側シートとの接着側にマット面側を向けてヒートシールにより接着したことを特徴とする食品用包装袋。
【請求項２】
カットテープは片面をマット面、片面をツヤ面とした請求項１記載の食品用包装袋。  
【請求項３】
引き起し片は下端を残して上方を半島状に切り込んだ舌片により上方に一定の面積を持ったものである請求項１または２記載の食品用包装袋。
【考案の詳細な説明】
【技術分野】
【０００１】
本願考案は、例えば三角形のサンドイッチなどの固形の食品を収容するための食品用包装袋に関する。
【背景技術】
【０００２】
プラスチックフィルム製の一対のシートを重ね合わせ、三方を封止した袋体を構成し、上記袋体内にサンドイッチなどの固形の食品を挿入して包装するための食品用包装袋が公知である。
【０００３】
三角形のサンドイッチを想定した包装袋として、両側辺が先端に向かって幅狭となるプラスチックフィルム製の一対のシートを重ね合わせ、三方を溶着等の接着手段により封止した袋体を立体的に拡げることにより構成されるものが広く使用されている。この場合、袋体を構成する封止箇所はシートの先端所定範囲をタブとして残すとともに後端を開口として残した状態で設けられるものであり、具体的には両側辺を横断する線に沿って各シート同士を接着した頂部封止部と頂部封止部より後方の各シートの両側辺同士を接着した側面封止部に求められる。
【０００４】
この包装袋においては内部にサンドイッチを収容後、食品後端から袋体後端の開口部にかけた袋体の余剰部を折り畳んで粘着テープ等により封止して、包装済みサンドイッチとして流通に供する。よって、このサンドイッチを購入した需要者においては包装を外して収容された食品を取り出さなければならないが、食品後端の封止部を開くのは面倒なので、袋体自体を引き裂き破壊して食品を取り出していた。しかしながら、そのままでは何の手がかりも無く袋体を引き裂くことは困難であるので、従来多数の易開封手段が提案されていた。
【０００５】
図５は前記の易開封手段の代表的なものを示す図である。ここでは、表側と裏側の一対のプラスチックフィルムシートを重ね合わせ、各シートの先端所定範囲をタブ２３として残した状態で両側辺を横断する線に沿って各シート同士を接着した頂部封止部２２と、頂部封止部より後方の各シートの両側辺同士を接着した側面封止部により３方を封止した袋体を構成し、下端を残して上方を半島状に切り込んだ舌片により上方に一定の面積を持った引き起し片５を一方のシートのタブ部分に設けるとともに、一端が頂部封止部を越えて引き起し片に達する各シートと同一素材から構成されるカットテープ２１を表側シートの裏面と頂部封止部における表側シートの裏面と裏側シートの裏面に接着した食品用包装袋が公知である（例えば特許文献１）。また、タブの終端から一対の切り込みを設けることにより得られるものも公知であった。
【先行技術文献】
【特許文献】
【０００６】
【特許文献１】特開２０１７−０４７９４０
【考案の開示】
【考案が解決しようとする課題】
【０００７】
前記の従来技術においては、タブ部分に設けた引き起し片をカツトテープごと指先で摘んで引っ張り上げることによりカットテープに沿って規定される方向、即ち袋体の斜面全長方向に沿ってシートが切り取られる作用を生じる。
【０００８】
前記の場合、シートの裏面に同一素材のカットテープをヒートシールにより接着した場合、頂部封止部においてシール強度が強くなり過ぎ、タブ部分に設けた引き起し片をカツトテープごと指先で摘んで引っ張り上げても頂部封止部で阻止されてうまく切り取れないという問題が生じた。
【０００９】
そのため、従来は頂部封止部のカットテープとの交差箇所において図５に示すようにパートコートと通称されているヒートシール剤（熱圧着型接着剤）（以下、「ヒートシール剤」と称する。）による弱シール部Ｐを設けることにより前記の不都合を解消していた。
【００１０】
しかしながら、ヒートシール剤は有機溶剤を含むシール剤であり、食品衛生上、食品に直接接触しないようにする配慮を要する問題があった。
【００１１】
この場合、ＰＰ単体のイージーピールフィルムをもってカットテープを構成すること想定し得るが、両面をヒートシールタイプとしたＰＰ単体のイージーピールフィルムは存しない。
【００１２】
前記に関し、ＰＰ単体のイージーピールフィルムを積層してカットテープを構成することも想定し得るが、そうした場合はカットテープの厚みが増すことにより頂部封止部における密閉性が悪くなり、また、コストが増す問題もあった。
【課題を解決するための手段】
【００１３】
本願考案は前記の問題を解消した食品用包装袋を提供することを目的として創作されたものである。
【００１４】
すなわち、本願考案は、表側と裏側の一対のプラスチックフィルムシートを重ね合わせ、各シートの先端所定範囲をタブとして残した状態で両側辺を横断する線に沿って各シート同士をヒートシールにより接着した頂部封止部と、頂部封止部より後方の各シートの両側辺同士を接着した側面封止部により３方を封止した袋体を構成し、タブ部分に設けた切り込みによる引き起し片を表側シートのタブ部分に設けるとともに、一端が頂部封止部を越えて引き起し片に達するカットテープを表側シートの裏面と頂部封止部における表側シートの裏面と裏側シートの裏面に接着した食品用包装袋において、上記のカットテープを片面をマット面としたＯＰＰフィルムにより構成し、表側シートとの接着側にマット面側を向けてヒートシールにより接着したことを特徴とする。  
【００１５】
また、請求項２記載の考案は前記の食品用包装袋において、カットテープは片面をマット面に、片面をツヤ面としたことを特徴とする。
【００１６】
また、請求項３記載の考案は前記の食品用包装袋において、引き起し片は下端を残して上方を半島状に切り込んだ舌片により上方に一定の面積を持ったものであることを特徴とする。
【考案の効果】
【００１７】
片面をマット面としたＯＰＰフィルムのマット面は曇感を出すためにＰＰでなくＰＥが含まれており、表側シートとの接着側にマット面側を向けて裏側シートとの間に挟み込むことにより弱シール部を作り出すことができる。
【００１８】
よって、本件考案によれば、食品衛生上の配慮を要するヒートシール剤を使用せずとも、カットテープの素材の変更だけで弱シール作用を得ることができ、引き起し片をカツトテープごと摘んで引っ張り上げた場合に頂部封止部で阻止されずにスムーズに易開封が実現される食品用包装袋をフィルムの厚みを変えず、かつコスト上の大幅な上昇無しに実現することが可能となる。
【図面の簡単な説明】
【００１９】
【図１】本願考案の食品用包装袋の展開状態の分解斜視図。
【図２】本願考案の食品用包装袋の包装状態の斜視図。
【図３】本願考案の食品用包装袋の開封過程の斜視図。
【図４】本願考案の食品用包装袋の要部の正面図。
【図５】従来技術の食品用包装袋の要部の正面図。
【考案を実施するための最良の形態】
【００２０】
以下、本願考案の具体的実施例を添付図面に基づいて説明する。図１〜図３は本願考案の食品用包装袋を示す図である。ここでは、包装する食品として三角形のサンドイッチを想定した食品用包装袋を例にとり説明することとする。すなわち、この包装袋は両側辺が先端に向かって幅狭となるプラスチックフィルム製の表側と裏側の一対のシートを重ね合わせ、各シートの先端所定範囲をタブ部分として残した状態で、両側辺を横断する預部封止用接着線により各シート同士を接着した頂部封止部と、頂部封止部より後方の各シートの両側辺同士を接着した側面封止部により三方を封止して袋体とする。
【００２１】
前記の袋体においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、カットテープをその一端が頂部封止用接着線を越えてタブ部分に設けた引き起し片に達するように表側のシートの裏側に接着している。この袋体においては、タブ部分に設けた引き起し片をカツトテープごと指先で摘んで引っ張り上げることによりカットテープに沿って規定される方向、即ち袋体の斜面全長方向に沿ってシートが切り取られる作用を生じる。
【００２２】
この袋体はプラスチックフィルム製の表側のシート１０、裏側のシート１と、表側のシート１０の裏面（袋の内面側）に接着されるカットテープ６を有する。なお、この実施例ではそこに挿入されたサンドイッチの裏側の具材が露出する端面に接すべき汚れ防止のためのプラスチックフィルム製の帯状片５を設けている。一対のシート１０、１は両側辺が先端に向かって幅狭となる台形又は台形類似の形状に構成され、三方を封止して袋体とした後、この袋体が立体的に拡げられる。
【００２３】
この場合、袋体を構成するにあたりシートの先端所定範囲が袋部分を構成しないタブ部分４Ａ、４Ｂとして残されるとともに、シートの後端が食品を差し入れるための開口として残される。具体的には、タブ部分４Ａ、４Ｂの開始地点においてシートの両側辺を横断する線に沿って各シート同士を接着する頂部封止用接着線２Ａ、２Ｂが設けられるとともにこの頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって対向する一対の斜面Ａ及びＢの厚みが頂部封止部２Ａ、２Ｂの幅により規定され、側面Ｃ、Ｃが三角形をなす板状の三角形にこの袋体を拡げることによって袋体の基本形が完成する。なお、ここでは接着手段としてヒートシールを採用する。
【００２４】
上記の製袋工程において、カットテープ６が表側のシート１０の裏面に接着される。このカットテープ６はその一端が頂部封止用接着線２Ａ、２Ｂを越えてタブ部分４Ａ、４Ｂに設けた切り込みによる引き起し片Ｓに達するように配される。上記の引き起し片Ｓは、この実施例では下端を残して上方を半島状に切り込んだ舌片により上方に一定の面積を持ったものであり、ここではシート１ＡをＵ宇状に切り込むことにより得ている。
【００２５】
前記のカットテープ６は片面をマット面としたＯＰＰフィルムにより構成されるものであり、表側シート１０との接着側にマット面側を向けてヒートシールにより接着され、これが本願考案の特徴部分を構成する。
【００２６】
以上の食品用包装袋の開封に当たっては、カツトテープ１０が接着されている側のシート１０のタブ４Ａの引き起し片Ｓを摘んでめくりながら引っ張り上げることにより、これに接着されているカットテープも引っ張り上げられることによりシートはそのままカツトテープに沿って切り裂かれながら中央部分が切り取られることになる（図３参照）。
【符号の説明】
【００２７】
Ｓ      引き起し片
１      シート
２Ａ    頂部封止用接着線
２Ｂ    頂部封止用接着線
４Ａ    タブ
４Ｂ    タブ
５      （汚れ防止のための）帯状片
６      カットテープ
１０    シート
【図１】
0003213774.tif 000003
【図２】
0003213774.tif 000004
【図３】
0003213774.tif 000005
【図４】
0003213774.tif 000006
【図５】
0003213774.tif 000007